(57)【要約】【課題】柱体の高い強度を確保しつつ、地盤の違いによる柱体の強度のばらつきを低減する。【解決手段】地盤中に柱体を成形する工法であって、外側に螺旋状の搬送スクリュ２を備え、内側に液体供給路３を備えたスパイラルロッド１を、搬送スクリュ２の搬送方向がスパイラルロッド１の圧入方向と一致するように回転させながら地盤５中に圧入すると共に、水硬性材料を含むバラ荷４を搬送スクリュ２により前記圧入方向に搬送して地盤５中に供給する圧入工程と、その後、スパイラルロッド１を前記圧入工程時と同じ方向に回転させながら引き上げる引き上げ工程と、を有する。前記圧入工程及び引き上げ工程の少なくとも一方において、液体供給路３により少なくとも水８を地盤５中に供給し、バラ荷４を硬化させて柱体９を成形する。水８の供給量は、注水率Ｗ/Ｃ（Ｗは水重量、Ｃは水硬性材料重量）が２０％〜４５％になるように設定されている。【選択図】図１
2010084473.tif 000002
【特許請求の範囲】
【請求項１】
地盤中に柱体を成形する工法であって、
外側に螺旋状の搬送スクリュを備え、内側に液体供給路を備えたスパイラルロッドを、前記搬送スクリュの搬送方向が前記スパイラルロッドの圧入方向と一致するように回転させながら地盤中に圧入すると共に、水硬性材料を含むバラ荷を前記搬送スクリュにより前記圧入方向に搬送して地盤中に供給する圧入工程と、
その後、前記スパイラルロッドを前記圧入工程時と同じ方向に回転させながら引き上げる引き上げ工程と、を有し、
前記圧入工程及び引き上げ工程の少なくとも一方において、前記液体供給路により少なくとも水を地盤中に供給し、前記バラ荷を硬化させて柱体を成形し、
前記水の供給量は、注水率Ｗ/Ｃ（Ｗは水重量、Ｃは水硬性材料重量）が２０％〜４５％になるように設定されていることを特徴とする、柱体の成形工法。
【請求項２】
前記水の供給は、前記スパイラルロッドの引き上げ工程時にのみ行うことを特徴とする、請求項１に記載の柱体の成形工法。
【請求項３】
前記スパイラルロッドの引き上げ工程において、前記バラ荷を前記搬送スクリュにより前記圧入方向に搬送して地盤中に供給することを特徴とする、請求項２に記載の柱体の成形工法。
【請求項４】
前記スパイラルロッドの引き上げ工程において、前記バラ荷を前記搬送スクリュにより前記圧入方向に搬送して地盤中に供給すると共に、前記水の供給を行うことを特徴とする、請求項１に記載の柱体の成形工法。
【発明の詳細な説明】
【技術分野】
【０００１】
本発明は、緩い砂地盤や異なる地層が積層した多層地盤といった不安定な地盤において、地盤中に硬質の柱体を成形して該地盤の強化を図る柱体の成形工法に関する。
【背景技術】
【０００２】
緩い砂地盤や粘性土からなる地盤、異なる地層が何層も積層した多層地盤は、地震や水害発生時に崩れて該地盤上に建てられた建築物や道路などの構造物の損傷を招いたり、周辺に影響を及ぼす恐れがある。
【０００３】
そこで、地盤中に硬質の柱体を構築して地盤を強化する手段が講じられている。このような柱体の構築方法としては、例えば特許文献１ に、搬送スクリュを付設したプランジャを地盤中に圧入することによって柱状の中空室を形成し、且つ、該プランジャを回転させることにより搬送スクリュによって水硬性のバラ荷を該中空室に充填し、周囲の地盤から中空室に侵入する水分によって該バラ荷を硬化させる方法が開示されている。
【０００４】
しかしながら、この工法では、地盤中に含まれる水分量が不十分である場合には柱状に充填されたバラ荷の中心部にまで充分に水分が到達せず、削孔の側壁近傍のバラ荷のみが硬化して、構築される柱体の強度が不十分となってしまう。また、地盤中の水分量が充分であっても、径の大きな柱体ではやはり中心部まで充分な水分が到達しにくく、強度が不十分になるという問題がある。
【０００５】
そこで、内側に液体供給路を有するスパイラルロッドを用い、当該スパイラルロットの圧入工程時或いは引き上げ工程時に、液体供給路により水を地盤中に供給し、バラ荷を硬化させて柱体を構築することが提案されている（特許文献２）。これによれば、スパイラルロッド内の液体供給路より地盤中に水が強制的に供給されるので、バラ荷全体の硬化が適正に行われる。
【０００６】
【特許文献１】特許第３２５８２２７号公報
【特許文献２】特開２００７−１１３１７７号公報
【発明の開示】
【発明が解決しようとする課題】
【０００７】
ところで、戸建て住宅など小規模建築物においては、構造物の規模が小さいことから構造物の基礎の設計に係わる地盤調査が十分に実施されない傾向にあり、地盤種の判定や、地盤中に含まれる水の量が不明瞭であることが多い。
以上のような理由により、上記工法を用いる場合、結果としてバラ荷中の水硬性材料の量に対し水の量が多くなりすぎて柱体の強度が低下することを懸念して、一般的には地盤から供給される水の量を多めに想定して、水の供給量を、注水率Ｗ／Ｃ（Ｗは水重量、Ｃは水硬性材料重量）が１０％程度になるように比較的少なく設定している。
【０００８】
しかしながら、実際に上記工法を用いて柱体を成形した場合、柱体の平均強度は確保できていても、地盤の土壌の状態等により柱体の強度の下ぶれが大きくなることがある。したがって、例えば設計時に柱体強度を過小評価せざるを得ず、経済設計をさまたげる要因となっていた。
【０００９】
本発明は、かかる点に鑑みてなされたものであり、柱体の高い強度を確保しつつ、地盤の違いによる柱体の強度のばらつきを低減することをその目的とする。
【課題を解決するための手段】
【００１０】
上記目的を達成するための本発明は、地盤中に柱体を成形する工法であって、外側に螺旋状の搬送スクリュを備え、内側に液体供給路を備えたスパイラルロッドを、前記搬送スクリュの搬送方向が前記スパイラルロッドの圧入方向と一致するように回転させながら地盤中に圧入すると共に、水硬性材料を含むバラ荷を前記搬送スクリュにより前記圧入方向に搬送して地盤中に供給する圧入工程と、その後、前記スパイラルロッドを前記圧入工程時と同じ方向に回転させながら引き上げる引き上げ工程と、を有し、前記圧入工程及び引き上げ工程の少なくとも一方において、前記液体供給路により少なくとも水を地盤中に供給し、前記バラ荷を硬化させて柱体を成形し、前記水の供給量は、注水率Ｗ/Ｃ（Ｗは水重量、Ｃは水硬性材料重量）が２０％〜４５％になるように設定されていることを特徴とする。
【００１１】
本発明によれば、水の供給量を従来より多い所定の範囲の注水率Ｗ/Ｃに設定することにより、柱体の高い強度を確保しつつ、地盤の違いによる柱体の強度のばらつきを低減できる。
【００１２】
上記柱体の成形工法において、前記水の供給は、前記スパイラルロッドの引き上げ工程時にのみ行うようにしてもよい。かかる場合、柱体の中核部分を形成する引き上げ工程時に十分な水を供給できるので、柱体の中核部分の強度を十分に確保できる。また、柱体の外殻部分も地盤内に含まれる水により適正に硬化し十分な強度を確保できる。
【００１３】
また、前記スパイラルロッドの引き上げ工程において、前記バラ荷を前記搬送スクリュにより前記圧入方向に搬送して地盤中に供給すると共に、前記水の供給を行うようにしてもよい。かかる場合、スパイラルロッドが引き上げられた部分にさらにバラ荷が供給されるため、地盤の削孔にバラ荷がより密に且つ均一に供給される。これにより柱体の強度をさらに向上できる。
【発明の効果】
【００１４】
本発明によれば、地盤の違いにより水硬性バラ荷に地中水が供給される分量が異なることによる柱体の強度のばらつきを低減できるので、いずれの土地においても高強度の柱体を安定して成形できる。
【発明を実施するための最良の形態】
【００１５】
以下、図面を参照して、本発明の好ましい実施の形態について説明する。図１は、本実施の形態に係る柱体の成形工法の主な工程を示す模式図である。
【００１６】
本柱体の成形工法に用いられるスパイラルロッド１は、ロッドの外周面に螺旋状の搬送スクリュ２を備えている。搬送スクリュ２は、回転により、スクリュ上のバラ荷４をスパイラルロッド１の前方又は後方に搬送することができる。搬送スクリュ２ は、例えばスパイラルロッド１の後端から先端に向かって時計回りの螺旋状に形成されている。
【００１７】
また、スパイラルロッド１は、ロッドの内側に後端部から先端部に至る液体供給路３を備えている。スパイラルロッド１の例えば先端部には、液体供給路３内の液体が噴出される噴出孔３ａが形成されている。
【００１８】
本柱体の成形工法では、先ず、図１（ａ）に示すようにスパイラルロッド１が地盤５に圧入される。この時、スパイラルロッド１を囲むようにホッパー７が配設され、ホッパー７ 内にバラ荷４が収納される。この状態から、スパイラルロッド１が、図中の矢印Ａ方向に回転しながら、地盤５中に圧入され、削孔６が形成される。このときのスパイラルロッド１の回転は、搬送スクリュ２による搬送方向がスパイラルロッド１の圧入方向（図中の矢印Ｂ方向）と一致するように行われる。つまり、スパイラルロッド１が、スパイラルロッド１の後端側から見て反時計回りに回転され、搬送スクリュ２の搬送方向が、スパイラルロッド１の後端から先端に向かう方向となり、スパイラルロッド１の圧入方向と一致する。これにより、ホッパー７内に供給された、水硬性材料を含むバラ荷４が、搬送スクリュ２に供給され、当該搬送スクリュ２により圧入方向、即ちスパイラルロッド１の先端に向かって搬送される。こうして、地盤５に削孔６が形成されながら、当該削孔６にバラ荷４が供給されていく。このように、バラ荷４は圧縮されて削孔６に供給されるため、圧縮されない場合と比較してバラ荷４を構成する粒子同士に空気や水が入る間隙が少ない状態となる。なお、本実施の形態ではバラ荷４として、例えば水硬性材料としてのセメントと、砂や砂利の骨材との混合物が用いられる。この圧入工程では、搬送スクリュ２の搬送方向がスパイラルロッド１の圧入方向と同じであるので、地盤５の土砂がホッパー７内に排出されることがない。この点、本工法は、緩い地盤に対して施工された時、施工地盤から外部へ土砂を排出しなくても削孔６を形成することに困難はなく、周囲に土砂を押しのけて削孔６を形成することにより、削孔６の内壁自体を密にして地盤５の安定化に寄与する。
【００１９】
その後、図１（ｂ）に示すようにスパイラルロッド１の先端が所定の深さまで達した時点で、地盤５に所定の深さの削孔６が形成され、当該削孔６の内壁とスパイラルロッド１との間隙にバラ荷４が充填されている。
【００２０】
その後、図１（ｃ）に示すようにスパイラルロッド１が引き上げられる。この際、スパイラルロッド１の圧入時と同じ方向にスパイラルロッド１が回転される（矢印Ａ方向） 。これにより、搬送スクリュ２の搬送方向は、スパイラルロッド１の引き上げ方向（図中の矢印Ｂ ’方向） と逆方向になり、スパイラルロッド１の先端方向になるため、削孔６内のバラ荷４がスパイラルロッド１の引き上げによって削孔６の外に排出されることはない。さらに、このスパイラルロッド１の引き上げの際には、引き続き搬送スクリュ２にバラ荷４が供給され、搬送スクリュ２により削孔６内にさらにバラ荷４が充填される。また、スパイラルロッド１の引き上げの際には、スパイラルロッド１の液体供給路３に水８が供給され、当該液体供給路３を通じて、噴出孔３ａから削孔６内に水８が供給される。これにより、水８とバラ荷４の水硬性材料が反応し、バラ荷４が硬化される。水８の供給は、削孔６の底部から開口部まで全体にわたって行われ、この水８の全供給量は、注水率Ｗ/Ｃ（Ｗは水重量、Ｃは水硬性材料重量）が２０％〜４５％、より好ましくは２５％〜３５％になるように設定されている。
【００２１】
そして図１（ｄ）に示すようにスパイラルロッド１が削孔６から完全に引き上げられると、地盤５中にバラ荷４が硬化した柱体９が成形される。こうして、柱体９により地盤５の補強が図られ、地盤５が改良される。
【００２２】
本実施の形態によれば、水８の供給量を、従来より多い注水率Ｗ/Ｃが２０％〜４５％になるように設定することによって、柱体９の高い強度を維持しつつ、地盤の違いによる柱体９の強度のばらつきを低減できる。以下にこの本発明による効果を検証する。
【００２３】
上記本発明に係る柱体の成形工法と同様の工法を用いて、注水率Ｗ／Ｃの異なる柱体９を成形し、それを掘り出して、柱体９の強度とそのばらつきを検出する実験を行った。実験は、０％、１０％、２３％、２８％、３５％、４２％、５５％、８０％の各注水率Ｗ／Ｃについて、複数種類の地盤で行った。地盤の種類は、ローム、埋土、砂質シルト、有機質粘土、凝灰質粘土等であった。また、柱体９の強度として、圧縮試験により一軸圧縮強度が測定された。バラ荷４には、セメントと骨材との混合物が用いられた。
【００２４】
次の表１には、本実験データを示し、図２（ａ）、（ｂ）には、その実験データをグラフ化したものを示す。
【表１】
2010084473.tif 000003
（強度：Ｎ/ｍｍ2）
【００２５】
図２（ａ）、（ｂ）に示すように注水率Ｗ／Ｃが０％〜２０％未満では、強度平均値が高いが、変動係数が大きく強度にばらつきが見られる。注水率Ｗ／Ｃが２０％〜４５％では、強度平均値が高く維持され（本実験条件では１５Ｎ/ｍｍ2以上）、その上変動係数が低く強度のばらつきが小さくなっている。特に注水率Ｗ／Ｃが２５％〜３５％の間ではその傾向が顕著である。注水率Ｗ／Ｃが４５％を超えると、強度平均値が低くなり、その上変動係数が大きくなり強度のばらつきが見られる。
【００２６】
この実験結果から、本発明の工法のように注水率Ｗ/Ｃを２０％〜４５％に設定することにより、柱体９の強度を高く維持しつつ、地盤の違いによる強度のばらつきを低減できることが確認できる。
【００２７】
上記実施の形態では、さらに水８の供給を、スパイラルロッド１の引き上げ工程時にのみ行うようにしたので、地盤５中に充填されたバラ荷４の中核部分に十分な水８を供給できる。これにより、柱体９の中核部分の強度を十分に確保できる。また、柱体９の外殻部分も地盤５内に含まれる水により適正に硬化し十分な強度を確保できる。
【００２８】
また、スパイラルロッド１の引き上げ工程において、バラ荷４を搬送スクリュ２にて圧入方向に搬送するとともに、水８の供給を行うようにしたので、スパイラルロッド１が引き上げられた部分にさらにバラ荷４が供給され、削孔６にバラ荷４をより密に且つ均一に充填できる。これにより柱体９の強度をさらに向上できる。
【００２９】
以上、添付図面を参照しながら本発明の好適な実施の形態について説明したが、本発明はかかる例に限定されない。当業者であれば、特許請求の範囲に記載された思想の範疇内において、各種の変更例または修正例に相到し得ることは明らかであり、それらについても当然に本発明の技術的範囲に属するものと了解される。
【００３０】
例えば以上の実施の形態では、スパイラルロッド１の引き上げ時に水８を供給していたが、スパイラルロッド１の圧入時に水８を供給してもよい。また、スパイラルロッド１の圧入時と引き上げ時の両方に水８を供給してもよい。また、バラ荷４の供給は、スパイラルロッド１の引き上げ時に行わず圧入時にのみ行うようにしてもよい。また、バラ荷４の硬化のために供給される水８には、必要に応じて硬化促進剤など、水以外の成分が添加されていてもよい。さらに、バラ荷４は、セメントと骨材の混合物に限られず、石灰などの他の水硬性材料と骨材との混合物であってもよい。
【図面の簡単な説明】
【００３１】
【図１】本実施の形態に係る柱体の成形工法の主な工程を示す模式図である。
【図２】（ａ）は、一軸圧縮強度と注水率との関係を示すグラフである。（ｂ）は、変動係数と注水率との関係を示すグラフである。
【符号の説明】
【００３２】
１   スパイラルロッド
２   搬送スクリュ
３   液体供給路
４   バラ荷
５   地盤
６   削孔
７  ホッパー
８   水
９   柱体
【図１】
2010084473.tif 000004
【図２】
2010084473.tif 000005